(57)【特許請求の範囲】
【請求項１】
液体源に浸漬された取込部と、その取込部から取り込まれた液体を上方へ導く通導媒体と、その通導媒体からの液体が供給され太陽日射による蒸発が行われる蒸発部と、を有する蒸発装置と、
前記蒸発部で蒸発した気化液体を凝結させて回収する回収装置と、
を含み、
前記回収装置は、
前記蒸発部からの気化液体が付着し、その気化液体を凝結させる凝結器と、
前記蒸発部と前記凝結器との間の拡散空間を密閉する透明な容器と、
を含み、
前記凝結器の内面は前記拡散空間からの気化液体を凝結させる凝結面であり、
前記凝結器の外側表面は太陽日射を反射する作用をもった面であり、
太陽日射が前記透明な容器を介して前記蒸発部に入射する、
ことを特徴とするソーラーポンプ。
【請求項２】
請求項１記載のソーラーポンプにおいて、
前記通導媒体は多孔質部材で構成されることを特徴とするソーラーポンプ。
【請求項３】
請求項２記載のソーラーポンプにおいて、
前記通導媒体及び前記蒸発部は一体成形された多孔質部材によって構成されることを特徴とするソーラーポンプ。
【請求項４】
請求項１記載のソーラーポンプにおいて、
前記凝結器は、
下側に向けて開いたドーム状の前記凝結面と、
前記凝結面の周縁に設けられ、前記凝結面を伝わる液滴を捕集する捕集溝と、
を有することを特徴とするソーラーポンプ。
【請求項５】
請求項１〜４いずれか１項に記載のソーラーポンプにおいて、
前記取込部には選択的に液体を取り込むフィルタが設けられたことを特徴とするソーラーポンプ。
【請求項６】
請求項５記載のソーラーポンプにおいて、
前記フィルタは交換可能に設けられたことを特徴とするソーラーポンプ。
【請求項７】
水源に浸漬された下端の取水部と、その取水部から取り込まれた水を上方へ導く通導媒体と、その通導媒体からの水が供給され太陽日射による蒸発が行われる上端の蒸発部と、を有し、その蒸発部での水の蒸発作用により吸水作用及び揚水作用が発揮される蒸発装置と、
前記蒸発部で蒸発した水蒸気を凝結させて回収する回収装置と、
を含み、
前記回収装置は、
前記蒸発部からの水蒸気が付着し、その水蒸気を凝結させる凝結器と、
前記蒸発部と前記凝結器との間の拡散空間を密閉する透明な容器と、
を含み、
前記凝結器の内面は前記拡散空間からの水蒸気を凝結させる凝結面であり、
前記凝結器の外側表面は太陽日射を反射する作用をもった面であり、
太陽日射が前記透明な容器を介して前記蒸発部に入射する、
ことを特徴とするソーラーポンプ。
【請求項８】
水源に浸漬された下端の取水部と、その取水部から取り込まれた水を上方へ導く通導媒体と、その通導媒体からの水が供給され太陽日射による蒸発が行われる上端の蒸発部と、を有し、その蒸発部での水の蒸発作用により吸水作用及び揚水作用が発揮される蒸発装置と、
前記取込部に設けられ、水だけを選択的に透過させる淡水化フィルタと、
前記蒸発部からの水蒸気を凝結させて回収する淡水回収装置と、
を含み、
前記淡水回収装置は、
前記蒸発部からの水蒸気が付着し、その水蒸気を凝結させる凝結器と、
前記蒸発部と前記凝結器との間の拡散空間を密閉する透明な容器と、
を含み、
前記凝結器の内面は前記拡散空間からの水蒸気を凝結させる凝結面であり、
前記凝結器の外側表面は太陽日射を反射する作用をもった面であり、
太陽日射が前記透明な容器を介して前記蒸発部に入射する、
ことを特徴とするソーラーシステム。
【請求項９】
水源に浸漬された下端の取水部と、その取水部から取り込まれた水を高所へ導く通導媒体と、その通導媒体からの水が供給され太陽日射による蒸発が行われる上端の蒸発部と、を有し、その蒸発部での水の蒸発作用により取水作用及び揚水作用が発揮される蒸発装置と、
前記蒸発部から出る水蒸気を凝結させて回収する回収装置と、
前記回収装置で回収された水によって発電を行う発電設備と、
を含み、
前記回収装置は、
前記蒸発部からの水蒸気が付着し、その水蒸気を凝結させる凝結器と、
前記蒸発部と前記凝結器との間の拡散空間を密閉する透明な容器と、
を含み、
前記凝結器の内面は前記拡散空間からの水蒸気を凝結させる凝結面であり、
前記凝結器の外側表面は太陽日射を反射する作用をもった面であり、
太陽日射が前記透明な容器を介して前記蒸発部に入射する、
ことを特徴とするソーラーシステム。
【請求項１０】
液体源に浸漬された下端の取込部と、その取込部から取り込まれた液体を上方へ導く通導媒体と、その通導媒体からの液体が供給され太陽日射による蒸発が行われる上端の蒸発部と、を有し、その蒸発部での液体の蒸発作用により吸引作用が発揮される蒸発装置と、
前記取込部に設けられた選択透過作用を有するフィルタと、
前記蒸発部で蒸発した気化液体を凝結させて回収する回収装置と、
を含み、
前記回収装置は、
前記蒸発部からの気化液体が付着し、その気化液体を凝結させる凝結器と、
前記蒸発部と前記凝結器との間の拡散空間を密閉する透明な容器と、
を含み、
前記凝結器の内面は前記拡散空間からの気化液体を凝結させる凝結面であり、
前記凝結器の外側表面は太陽日射を反射する作用をもった面であり、
太陽日射が前記透明な容器を介して前記蒸発部に入射する、
ことを特徴とするソーラーシステム。
【発明の詳細な説明】
【０００１】
【発明の属する技術分野】
本発明はソーラーポンプ及びそれを備えたシステムに関し、特に液体の蒸発を利用して液体を吸引する新しいシステムに関する。
【０００２】
【従来の技術及びその課題】
現在、実用的な海水の淡水化技術として、蒸発法と逆浸透法をあげることができる。
【０００３】
前者の蒸発法は、水を蒸発させて、塩類等を分離し、蒸発した水蒸気を回収することにより、淡水（純水）を得る方法である。その蒸発法には、蒸発エネルギーを自然の太陽熱エネルギーに依存するソーラースチル法と、例えば電気や石油などの人工エネルギーに依存する方法とがある。
【０００４】
後者の逆浸透法は、半透膜を通過させることによって水と溶質とを分離する方法である。純水と水溶液とでは、前者の方がその浸透ポテンシャルが高い（浸透圧が低い）ので、半透膜で両者を隔てただけでは、純水側から水溶液側へ水分子の移動（浸透）が生じる。よって、海水などの溶液から純水を獲得するには、溶液側にエネルギーを与えて、すなわち、溶液側に浸透圧以上の圧力をかけて、逆向き浸透を形成することが必要である。現在、この逆浸透のためのエネルギーは全面的に人工エネルギーに依存している。
【０００５】
地球上の乾燥地、半乾燥地などにおいては、言うまでもなく水の確保が最も重要である。とりわけ、現在大きな問題として指摘されている砂漠化を防止し、更には植生を回復するには化石燃料の消費を最少限に抑えながら、多量の淡水を得る必要がある。
【０００６】
これに関し、上記の従来技術の中でソーラースチル法は、太陽熱を利用するため、資源節約型であり、環境への負荷が少ない。しかし、入射する太陽日射をそのまま利用するため、必要な水量を確保するためには、大きな設備を要するという問題がある。また、海水などの水源から蒸発エリアへの海水の輸送、蒸発エリアに堆積する塩類の除去、あるいは、精製された淡水の配給などのために、かなりの労力ないしエネルギーを要するという問題がある。
【０００７】
また、逆浸透法では、効率的な淡水化を行えるが、逆浸透のために高い圧力を発生させる必要があり、やはりかなりの人工エネルギーを要するという問題がある。
【０００８】
ところで、太陽熱は、蒸気の生成による発電、温水の生成、上記のような淡水処理などで利用されているが、地球環境の保全、クリーンな代替エネルギー生成等の観点から、更なるその有効利用が期待されている。
【０００９】
本発明は、上記従来の課題に鑑みなされたものであり、その目的は、太陽熱エネルギーを液体の輸送に利用するシステムを実現することにある。
【００１０】
本発明の他の目的は、太陽熱エネルギーを淡水化やろ過に利用することにある。
【００１１】
本発明の他の目的は、太陽熱エネルギーを揚水に利用することにある。
【００１２】
【課題を解決するための手段】
（１）植物体においては、日中、太陽熱というを自然エネルギーを利用して、土壌中の水を吸い上げて大気へ水蒸気として発散している。樹木の揚水作用は例えば地上１００ｍにも及ぶ場合がある。本発明は、この取水作用及び揚水作用の原理を利用して、淡水化や発電などに利用しようというものである。
【００１３】
（２）本発明に係る実施形態において、ソーラーポンプは、液体源に浸漬された取込部と、その取込部から取り込まれた液体を導く通導媒体と、その通導媒体からの液体が供給される上端の蒸発部と、を有する蒸発装置と、前記蒸発部で蒸発した気化液体を凝結させて回収する回収装置と、を含む。ここで、前記回収装置は、前記蒸発部からの気化液体が付着し、その気化液体を凝結させる凝結器と、前記蒸発部と前記凝結器との間の拡散空間を密閉する透明な容器と、を含み、前記凝結器の内面は前記拡散空間からの気化液体を凝結させる凝結面であり、前記凝結器の外側表面は太陽日射を反射する作用をもった面であり、太陽日射が前記透明な容器を介して前記蒸発部に入射する。
【００１４】
上記構成によれば、通導媒体（浸透媒体）の下端の取込部が液体源に浸漬されると、その取込部から通導媒体を介して液体が蒸発部に到達し、そこで太陽熱エネルギーにより液体が蒸発する。蒸発部で液体が蒸発すると、そこでのポテンシャルエネルギーが低下し、取込部と蒸発部のポテンシャルエネルギーの差により、液体の取込及び液体の通導（輸送）の作用が発揮される。すなわち、連続する取込部から蒸発部までの水理系において、蒸発部での蒸発を原動力とするマスフロー（液体輸送）が実現される。一方、蒸発した液体は、回収装置で回収され、再び利用される。このシステムによれば、太陽熱を利用して液体を高所に揚げることができ、また、太陽熱を吸引圧源として利用することができる。その用途としては各種のものをあげることができる。上記の液体は、海水、池や河川、油田のオイル、その他の液体であり、工業用設備における各種の液体の輸送にも利用可能である。
【００１５】
望ましくは、前記通導媒体は多孔質部材で構成される。望ましくは、前記通導媒体及び前記蒸発部は一体成形された多孔質部材によって構成される。望ましくは、前記蒸発部は太陽日射を受ける半球状の形態を有し、またそれは太陽日射が照射される位置に設置される。
【００１６】
通導媒体は多数の毛細管を有するものとして構成することもできるが、上記構成のように通導媒体を多孔質部材で構成すれば、それ自体の通導作用を有効利用して通導媒体に沿って液体をより上方へ導くことができる。多孔質部材は例えば保水性セラミックであり、煉瓦などの素焼き材料などを用いることができ、工業生産された素材なども利用可能である。部材間接合による通導抵抗を避けるために通導媒体と蒸発部を一体形成するのが望ましい。蒸発部はできる限り太陽日射を浴びるような形態にするのが望ましい。蒸発部を半球状にする代わりに、それに多数のフィンなどを設けてもよい。
【００１７】
望ましくは、前記回収装置は、前記蒸発部からの気化液体が付着し、その気化液体を凝結させる凝結器と、前記蒸発部と前記凝結器との間の拡散空間を密閉する容器と、を含む。ここで、前記凝結器は、下側に向けて開いたドーム状の凝結面と、前記凝結面の周縁に設けられ、前記凝結面を伝わる液滴を捕集する捕集溝と、を有するのが望ましい。
【００１８】
凝結器の温度は蒸発部に比べてできるだけ低い方がよい。よって、それを放射吸収率の低いアルミニウムなどで構成し、しかもその太陽日射を受ける側（外側表面）を太陽日射の反射のために白色に着色してもよい。一方の蒸発部は通常、黒色にし、できるだけ太陽熱を吸収するようにする。なお、凝結器の太陽側に傘や覆いなどを形成してもよく、また大気側に放熱のためのフィンなどを設けてもよい。拡散空間を囲む容器は太陽日射の入射を妨げないように透明部材で構成するのが望ましい。なお、回収装置は、蒸発装置の上方に設けられるのが通常であるが、蒸発部から水平方向へ伸長させる等の形態変更も可能である。蒸発部から凝結器があまり隔てられていると、容器壁面への液滴の付着（結露）が多くなり、捕集効率が低下するため、蒸発器に太陽日射が十分に照射される限りにおいて（凝結器の影ができる限り蒸発器上に生じないようにしつつ）、蒸発部から凝結器はあまり遠ざけない方がよい。
【００１９】
望ましくは、前記取込部には選択的に液体を取り込むフィルタが設けられる。ここで望ましくは、前記フィルタは交換可能に設けられる。
【００２０】
フィルタを設けるのは、選択的に目的液体を取り込むためであり、また異物を除去するためである。目詰まりなどによるフィルタの劣化に対処するため、フィルタを交換自在にするのが望ましい。
【００２１】
（３）本発明に係る実施形態において、ソーラーポンプは、水源に浸漬された下端の取水部と、その取水部から取り込まれた水を導く通導媒体と、その通導媒体からの水が供給される上端の蒸発部と、を有し、その蒸発部での水の蒸発作用により吸水作用及び揚水作用が発揮される蒸発装置と、前記蒸発部で蒸発した水蒸気を凝結させて回収する回収装置と、を含む。
【００２２】
（４）本発明に係る実施形態において、ソーラーシステムは、水源に浸漬された下端の取水部と、その取水部から取り込まれた水を導く通導媒体と、その通導媒体からの水が供給される上端の蒸発部と、を有し、その蒸発部での水の蒸発作用により吸水作用及び揚水作用が発揮される蒸発装置と、前記取込部に設けられ、選択的に水のみを通過させる淡水化フィルタと、前記蒸発部からの水蒸気を凝結させて回収する淡水回収装置と、を含む。ここで、淡水化フィルタとしては例えば半透膜が利用される。
【００２３】
上述の淡水化を行うシステムは、太陽熱を利用して蒸発を行う点において、上述の蒸発法に類似する。しかし、蒸留によって水と塩類とを分離するものではなく、蒸発法とは異なる原理に基づいている。むしろ、半透膜によって塩類を排他的に分離しているので、この観点から見れば上記の逆浸透法に類似する。しかし、逆浸透のためのエネルギーを太陽熱から得ているので、その面において逆浸透法と顕著に相違する。よって、本発明は、上記のいずれの方式とも異なる第三の方式（蒸発式逆浸透法）を実現するものと位置づけられる。
【００２４】
また、本発明によれば、淡水化により得られた水を高所に貯留できるので、水配給のためのエネルギーを低減できる。更に、井戸水、地下水の揚水にも利用可能である。このように、本発明に係るシステムは、特に、生活用水や潅漑用水のための設備として活用可能である。
【００２５】
（５）本発明に係る実施形態において、ソーラーシステムは、水源に浸漬された下端の取水部と、その取水部から取り込まれた水を高所へ導く通導媒体と、その通導媒体からの水が供給される上端の蒸発部と、を有し、その蒸発部での水の蒸発作用により取水作用及び揚水作用が発揮される蒸発装置と、前記蒸発部から出る水蒸気を凝結させて回収する回収装置と、前記回収装置で回収された水によって発電を行う発電設備と、を含む。
【００２６】
上記構成によれば、水の蒸発を利用して揚水を実現し、高所に貯留された水の位置エネルギーを利用してタービンを回せば発電を行うことができる。
【００２７】
また、本発明に係る実施形態において、ソーラーシステムは、液体源に浸漬された下端の取込部と、その取込部から取り込まれた液体を導く通導媒体と、その通導媒体からの液体が供給される上端の蒸発部と、を有し、その蒸発部での液体の蒸発作用により吸引作用が発揮される蒸発装置と、前記取込部に設けられた選択透過作用を有するフィルタと、前記蒸発部で蒸発した気化液体を凝結させて回収する回収装置と、を含む。すなわち、本発明に係るソーラーポンプは海水の淡水化、液体のろ過、発電などの各種のシステムに利用可能である。
【００２８】
【発明の実施の形態】
以下、本発明の好適な実施形態を図面に基づいて説明する。
【００２９】
図１には、本発明に係るソーラーポンプを備えたシステムの好適な実施形態が示されており、図１はそのシステムの全体構成を示す概念図である。
【００３０】
図１に示すソーラーポンプ１０は、水源に設置され、水の淡水化（純水化）や揚水などを行うものであり、淡水化システムや発電システムなどの各種の用途に利用可能である。
【００３１】
ソーラーポンプ１０について図１に基づいて詳述すると、ソーラーポンプ１０は、複数のステージによって構成されており、具体的には、取水部１１、通導部（浸透部）１２、蒸発部１４、拡散部１６及び凝結部１８によって構成されている。ちなみに、このソーラーポンプ１０は海、湖、河川などの水源に設置されるものである。もちろん、水以外の液体（例えば油）などに対して、このソーラーポンプ１０を適用させることもできる。
【００３２】
取水部１１は、水源１００の水面下に設置されるものであり、この取水部１１では水源１００からの水が浸透（osmosis）する。そのように取り込まれた水は通導部１２が浸透（percolation）して上方に導かれ、その通導部１２の上部に設けられた蒸発部１４に到達する。この蒸発部１４は、太陽日射１０２が照射される位置に設置されており、具体的には少なくとも水源１００の水面よりも上方に設置されている。その蒸発部１４に水が浸潤すると、そこで水が気化し、すなわち水が蒸発し、その結果、当該蒸発部１４における水のポテンシャルエネルギーが低下する。そのポテンシャルエネルギーの低下によって、取水部１１からの水の取り込みが促進される。
【００３３】
蒸発部１４にて蒸発した水蒸気は拡散部１６内の拡散空間３４を拡散し、その拡散空間内の圧力上昇に伴って上方に順次導かれ、凝結部１８内の凝結面３６Ａ上に凝結する。すなわち、水蒸気がその凝結面３６Ａにて結露し水滴になる。その水滴は捕集部３６Ｂによって捕集され、ドレイン４０を介して外部のタンク１０４などに集められる。
【００３４】
以上のように、ソーラーポンプ１０においては、樹木において水の蒸発により樹木の根から水の取り込みが行われるように、太陽日射のエネルギーを水の蒸発のためのエネルギーとして変換し、さらにそのエネルギーを取水エネルギー及び揚水エネルギーとして利用可能である。すなわち、このソーラーポンプ１０においては、太陽日射の照射が続く限り、かつ水源が存在する限り上記の揚水作用を連続的に行わせることが可能である。すなわち、省エネルギーの揚水システムあるいは淡水化システムを実現することが可能である。
【００３５】
次に、上述した取水部１１〜凝結部１８までの各部の構造について具体的に説明する。
【００３６】
取水部１１は望ましくは水源１００内の深い位置に設置される。この取水部１１は、通導媒体２８の下端部２８Ａと、その下端部２８Ａの周囲を包み込んだ浸透膜２４と、その浸透膜２４を補強する通水性を持った補強部材２６と、によって構成されている。ここで、浸透膜２４は例えば海水中から塩基などを除いて水のみを通導媒体２８に浸透させるためのフィルタとして機能するものであって、半透膜などで構成されるが、それには限定されず、選択的透過性のあるフィルタであれば各種のものを利用可能である。浸透膜２４における浸透圧は上述のように蒸発部１４における水の蒸発によって獲得される。
【００３７】
通導媒体２８は吸水性多孔質媒体によって構成されるものであり、例えばセラミックなどの多孔質部材が用いられる。その通導媒体２８は大別して下端部２８Ａと中間部２８Ｂと上端部２８Ｃによって構成され、その中間部２８Ｂは通導部１２に属し、上端部２８Ｃは蒸発部１４を構成している。図１に示されるように、通導媒体２８はそれ全体として単一の部材で構成されており、下端部２８Ａ及び中間部２８Ｂは円柱形状を有し、上端部２８Ｃは半球状の形状を有する。
【００３８】
通導部１２において、中間部２８Ｂは円筒形状の補強部材３０によって包み込まれており、構造面で強化されている。この補強部材３２は複数の支持部材２０，２２が連結され、そのような支持部材２０，２２によってソーラーポンプ１０が水源１００に固定的に設置されている。もちろん、水源１００上に浮く方式でソーラーポンプ１０を配置することも可能である。
【００３９】
蒸発部１４において、半球状の上端部２８Ｃの表面は例えば黒色に着色されている。これは太陽日射１０２のエネルギーをできるだけ効率よく吸収するためである。もちろん、上端部２８Ｃに多数のフィンなどを設け、より効率的に太陽日射１０２のエネルギーを吸収するようにしてもよい。
【００４０】
蒸発部１４の上部には図示されるように拡散部１６が形成されている。拡散部１６は円筒形状の容器３２によって構成され、その内部の空間は上記の拡散空間３４である。その拡散空間３４内には蒸発部１４から蒸発する蒸気が拡散する。ちなみに、容器３２は太陽日射１０２を透過させる透明な部材で構成するのが望ましい。
【００４１】
凝結部１８は凝結キャップ３６によって構成されている。この凝結キャップ３６の外表面は太陽日射をできるだけ反射するように（つまり反射作用を有するように）例えば白色に着色され、具体的には凝結キャップ３６として外側が白く塗装されたアルミ板などを用いるのが望ましい。この凝結部１８及び拡散部１６によって拡散空間３４が密閉空間とされている。
【００４２】
凝結キャップ３６はドーム型の形態を有しており、その内面である凝結面３６Ａには水蒸気が結露し、水滴となって捕集部３６Ｂで捕集される。この捕集部３６Ｂは凝結キャップ３６の下側を内側へ折り返した「樋」の形状を有するものである。その捕集部３６Ｂには上述したようにドレイン４０が連結されており、そのドレイン４０を介して例えば地上に設置されたタンク１０４内に水が集められる。
【００４３】
図において符号１０６はタンク１０４内の水を利用する設備を示しており、例えば、タンク１０４の水のポテンシャルエネルギーによって発電を行ったり、あるいは、淡水化した水を灌漑水として利用することなどが可能である。
【００４４】
ちなみに、タンク１０４中の水を水源としてさらにソーラーポンプ１０を設置し、それらを連結設置することによって低所にある水をより高い位置に運び上げることも可能である。
【００４５】
図１に示す実施形態では、ソーラーポンプ１０が垂直に設置されており、蒸発部１４の垂直上方に凝結部１８が設けられている。しかしながら、凝結部１８の影が蒸発部１４上にかかるような場合、凝結部１８は蒸発部１４の上方から水平方向に移動した位置に設置してもよい。その場合、拡散部１６は例えば斜め方向に伸張する形態に構成される。
【００４６】
本実施形態においては、ソーラーポンプ１０において、取水部１１における浸透膜２４及び補強部材２６が浸透モジュール（選択的透過モジュール）を構成しており、その浸透モジュールは交換可能である。すなわち、浸透膜２４が劣化したような場合、浸透モジュール自体を交換し、その作用を再生させることが可能である。
【００４７】
ソーラーポンプ１０において、蒸発部１４における温度はできる限り高い方が望ましく、一方、凝結部１８の温度はできる限り低い方が望ましい。このため、蒸発部１４に太陽日射を集光させるミラーなどを別途設置してもよく、また凝結部１８の上部に太陽日射を遮る傘などを設置してもよい。
【００４８】
ソーラーポンプ１０は、全体として例えば１０ｍの長さを有しており、その全長のうちで通導部１２及び取水部１１の長さは例えば７〜８ｍである。その場合、例えば２〜３ｍの深さに取水部１１が設置される。拡散部１６の長さは例えば数ｍであり、その長さは容器３２における結露をできる限り防止するために比較的短い方がよい。
【００４９】
上記のソーラーポンプ１０を利用して回収される淡水量を試算すると、例えば設置場所として潮岬を想定し、本ソーラーポンプ１０の日射変換効率（到達日射量のうち蒸発に利用できる割合）を０．５とすると、潮岬の平均日射量は１６６Ｗ／ｍ2であるから、水平面からは３ｍｍ／ｄすなわち１ｍ2、一日当たり３リットルの蒸発量が生じると推定可能である。この推定の下では、直径１ｍの蒸発部１４から一日に約５リットルの淡水を回収できると見積もられる。よって、必要な水量に応じて複数台のソーラーポンプ１０を並列設置してもよく、また発電用途であれば垂直方向にソーラーポンプ１０を段階的に複数設置するようにしてもよい。
【００５０】
以上説明したように、本実施形態に係るソーラーポンプ１０によれば樹木などによって自然に形成される太陽エネルギーを利用したソーラシステムを人工的に再現し、これによって各種の水の利用を実現可能である。
【００５１】
【発明の効果】
以上説明したように、本発明によれば、太陽熱エネルギーを液体の輸送に利用でき、例えばそれを淡水化あるいは揚水などに利用可能である。
【図面の簡単な説明】
【図１】  本発明に係るソーラーポンプを備えたシステムの概念を示す概念図である。
【符号の説明】
１０  ソーラーポンプ、１１  取水部、１２  通導部、１４  蒸発部、１６  拡散部、１８  凝結部、２８  通導媒体（保水性多孔質媒体）。
【図１】
0004199887.tif 000002